(57)【特許請求の範囲】
【請求項１】
埋設孔を形成した揺動自在の鍵盤本体と、
鉛以外の材料および弾性材料を所定の配合割合で互いにブレンドした、所定の比重を有する弾性複合材料で構成され、前記埋設孔に圧入することにより前記鍵盤本体に着脱自在に取り付けられた重りと、を備え、
当該重りは、前記鉛以外の材料および前記弾性材料を互いに異なる配合割合でブレンドした、互いに異なる比重と互いに同じ形状およびサイズを有する複数種類の重りで構成され、
前記鍵盤本体は、互いに同じ形状およびサイズの前記埋設孔をそれぞれ形成した複数の鍵盤本体で構成されていることを特徴とする鍵盤。
【請求項２】
前記鉛以外の材料が粉状のタングステンで構成され、前記弾性材料がゴムで構成されていることを特徴とする、請求項１に記載の鍵盤。
【発明の詳細な説明】
【０００１】
【発明の属する技術分野】
本発明は、ピアノなどの鍵盤に関し、特に所望のタッチ重さを得るために重りを取り付けた鍵盤に関する。
【０００２】
【従来の技術】
鍵盤楽器、特にグランドピアノなどのアコースティックピアノでは一般に、所要の鍵盤のタッチ重さ（静荷重）を得るために、鍵盤に重りが取り付けられている。従来一般に、この重りは、鉛で構成されており、図３に示すように、鉛を円柱状に成形した所定サイズの複数（この例では３個）の重り５３を、鍵盤５１の木製の鍵盤本体５２の、バランスピン（図示せず）よりも手前側の所定位置に側方に貫通して形成した複数の埋設孔５４に埋め込み、かしめることによって、鍵盤本体５２に取り付けられている。このように重りとして鉛が採用されているのは、金属の中でも比重が高い（約１１．３）こと、安価であることや、柔軟性および延性に富み、上記のような加工を行いやすいことなどによる。
【０００３】
また、上記のように重り５３を取り付けた後、タッチ重さのばらつきを無くしたり、演奏者の好みに合わせたりすることを目的として、タッチ重さを調整することも一般に行われている。このタッチ重さの調整は、重り５３がかしめにより取り付けられていて、その取外しが困難であることから、タッチ重さを軽くしたいときには、重り５３の側面を切削することによって行われる。一方、タッチ重さを重くしたいときには、同じ理由から、図３に破線で示すように、あらかじめ用意した別の鉛製の調整用重り５５を少なくとも１個、鍵盤本体５２に追加して取り付けることによって、調整が行われる。この場合、調整用重り５５によるバランスピン回りのモーメントが、付加すべきタッチ重さに応じて適切に得られるよう、調整用重り５５の取付位置をまず決定し、決定した鍵盤本体５２の取付位置に埋設孔５６を新たに形成した後、調整用重り５５をかしめで取り付けるという作業が、鍵盤５１ごとに行われる。
【０００４】
【発明が解決しようとする課題】
上記従来の鍵盤５１では、前述した理由から、重り５３の材料として鉛が用いられている。しかし、鉛は、有害物質であるため、鍵盤の重りにもできるだけ使用しないことが望ましく、鉛に代わる代替材料が求められている。また、従来の鍵盤５１では、重り５３を各鍵盤本体５２にかしめにより取り付ける必要があるため、この取付作業自体が煩雑である。また、重り５３の取外しが困難であることから、前述したように、タッチ重さを調整するのに、重り５３の側面を切削したり、調整用重り５５の取付位置を決定しながら、鍵盤本体５２に埋設孔５６を形成し、調整用重り５５を取り付けるという作業を、鍵盤５１ごとに行わなければならず、調整作業に非常に手間がかかり、製造コストを押し上げてしまう。さらに、調整用重り５５を取り付ける場合には、本来の埋設孔５４に加えて、埋設孔５６を鍵盤本体５２に側方に貫通して形成しなければならず、鍵盤本体５２の強度が不足がちになるという問題もある。
【０００５】
本発明は、このような課題を解決するためになされたものであり、重りの材料として鉛に代わる代替材料を用いながら、重りの取付が簡単で、しかもタッチ重さを容易に調整することができる鍵盤を提供することを目的としている。
【０００６】
【課題を解決するための手段】
この目的を達成するため、本発明の鍵盤は、埋設孔を形成した揺動自在の鍵盤本体と、鉛以外の材料および弾性材料を所定の配合割合で互いにブレンドした、所定の比重を有する弾性複合材料で構成され、埋設孔に圧入することにより鍵盤本体に着脱自在に取り付けられた重りと、を備え、重りは、鉛以外の材料および弾性材料を互いに異なる配合割合でブレンドした、互いに異なる比重と互いに同じ形状およびサイズを有する複数種類の重りで構成され、鍵盤本体は、互いに同じ形状およびサイズの埋設孔をそれぞれ形成した複数の鍵盤本体で構成されていることを特徴とする。
【０００７】
この鍵盤では、その重りが、鉛以外の材料および弾性材料を所定の配合割合で互いにブレンドした弾性複合材料で構成されており、鍵盤本体に形成した埋設孔に圧入することによって、鍵盤本体に着脱自在に取り付けられ、鍵盤本体に重さを付加する。この場合、鉛以外の材料として、例えば適当な高比重の金属などを用いることにより、弾性材料をブレンドした弾性複合材料全体の比重を、鉛と同等にすることが可能である。したがって、上記構成の弾性複合材料を、従来の鉛に代わる重りの代替材料として用いることができる。また、弾性複合材料で構成された重りを、埋設孔に単なる圧入によって取り付けることができるので、従来のかしめの場合と比較して、重りの取付を容易に行える。
また、重りは複数種類の重りで構成されており、これらの複数種類の重りは、互いに、比重が異なり、形状およびサイズが同一であり、重さが異なる。したがって、これらの複数種類の重りの中から、必要な重さを有するものを選択し、埋設孔に取り付けることによって、タッチ重さの調整を容易に行うことができる。
さらに、複数の鍵盤本体にあらかじめ形成した同じ形状およびサイズの埋設孔に、複数種類の重りの中から選択した、必要な重さを有する重りを取り付けることができる。したがって、従来と異なり、埋設孔の位置やサイズを鍵盤ごとに決定する必要がなくなることで、タッチ重さの調整をさらに容易に行うことができる。
【０００８】
この場合、鉛以外の材料が粉状のタングステンで構成され、弾性材料がゴムで構成されていることが好ましい。
【０００９】
タングステンは、無害であるとともに、比重が非常に大きい（約１９．３）ので、ゴムとのブレンドにより鉛と同等の比重を含む必要な範囲の比重を得るのに特に適している。また、弾性材料を構成するゴムは、重りの弾性を確保する役割を果たすとともに、比較的安価であるので、その分の材料コストの削減を図ることができる。
【００１４】
【発明の実施の形態】
以下、本発明の一実施形態を、図面を参照しながら説明する。図１は、本発明を適用したグランドピアノの鍵盤（白鍵）を示している。同図に示すように、この鍵盤１は、鍵盤本体２と、鍵盤本体２の前部に取り付けられた白鍵カバー３と、鍵盤本体２の前部に取り付けられた複数の重り４などを備えている。
【００１５】
鍵盤本体２は、スプルスや松などの比較的軽量で、粘り強く、弾力性に富む木質材から成り、矩形の断面を有し、前後方向に延びている。白鍵カバー３は、アクリルなどからＬ字形に形成されており、鍵盤本体２の上面前半部および前面に、これらを覆うように接着されている。鍵盤本体２の上面中央部には中座板５ａが接着され、これらを上下方向に貫通するようにバランスピン孔５が形成されていて、このバランスピン孔５が、立設するバランスピン（図示せず）に係合することによって、鍵盤１が揺動自在に支持されるようになっている。また、鍵盤本体２の下面の前端部にはフロントピン孔６が形成されており、このフロントピン孔６が、立設するフロントピン（図示せず）に係合することによって、鍵盤１の左右の振れが防止される。
【００１６】
さらに、鍵盤本体２の上面のバランスピン孔５よりも後ろ側の位置には、キャプスタン座板８ａを介して、キャプスタンスクリュー８が取り付けられており、このキャプスタンスクリュー８上にアクション（図示せず）が載置される。以上の構成により、鍵盤１の前部を押鍵したときに、鍵盤１がバランスピンを中心として揺動するのに伴い、アクションがキャプスタンスクリュー８で突き上げられることで作動する。また、鍵盤１のタッチ重さは、アクションと鍵盤１の重さによるバランスピン回りのモーメントのバランスによって定められることになる。
【００１７】
また、鍵盤本体２には、３個の埋設孔９が形成されており、これらの埋設孔９に、本発明に係る重り４がそれぞれ取り付けられている。これらの埋設孔９は、鍵盤本体２のバランスピン孔５よりも前側の所定位置に、前後方向に並んで配置されるとともに、断面が円形で互いに同じ所定の径を有し、側方に貫通するように形成されている。
【００１８】
一方、重り４は、所定の径および長さを有する円柱状のものであり、鉛以外の材料、例えばタングステンと、弾性材料、例えばゴムとをブレンドすることにより得られた弾性複合材料で構成されていて、その弾性を利用して埋設孔９に圧入することで、鍵盤本体２に着脱自在に取り付けられる。また、重り４として、多種類の重り４があらかじめ用意されている。これらの多種類の重り４は、タングステンとゴムとの配合割合を変えることにより、互いに異なる所定の比重、したがって異なる所定の重さを有するようにしたものである。この場合の比重は、所要のタッチ重さを確保でき、且つタッチ重さの調整が円滑に行えるよう、鉛と同等の比重（約１１．３）を含む所定の範囲（例えば１０〜１３）内で、多段階に設定されている。
【００１９】
以上の構成の鍵盤１によれば、重り４の材料として、従来の鉛に代えて、タングステンとゴムを用いているので、重り４を無害でかつ安価に構成することができる。また、重り４は、弾性を有することで、埋設孔９に単なる圧入で取り付けられるので、従来のかしめの場合と比較して、取付作業を容易に行うことができる。
【００２０】
また、重り４が鍵盤本体２に対して着脱自在であるとともに、重さの異なる多種類の重り４が用意されているので、これらの重り４の中から、適当な重さのものを選択し、取り付けることによって、鍵盤１のタッチ重さを容易かつ適切に調整することができる。例えば、各鍵盤本体２に同一の配置およびサイズで３個の埋設孔９を形成するとともに、鉛と同等の比重を有する重り４を標準重りとして取り付けた状態で、タッチ重さを測定し、その結果に応じて、重り４を他の適当な重さの重り４と交換するだけで、所望のタッチ重さを容易に得ることができる。その結果、従来における、タッチ重さを軽くする場合の重りの切削や、タッチ重さを重くする場合の埋設孔および重りの増設やその位置決定は、まったく不要となり、そのような煩雑な作業が省略される分、鍵盤１の製造コストを削減することができる。また、埋設孔９を増設しないことにより、鍵盤本体２の強度低下も防止できる。
【００２１】
図２は、本発明の変形例による重りを示している。この重り２１は、上述した重り４の外周面に、その長さ方向に沿って多数の長溝２２を形成したものである。他の構成は、重り４と同様である。この重り２１によれば、長溝２２が形成されていることで、重り４よりも変形しやすいので、埋設孔９への着脱が容易になり、重りの取付作業をさらに容易に行うことができる。
【００２２】
なお、本発明は、説明した実施形態に限定されることなく、種々の態様で実施することができる。例えば、実施形態では、重りを構成する弾性複合材料を、タングステンとゴムをブレンドすることにより得ているが、所要の比重と弾性を確保できるものであれば、鉛以外でかつ上記以外の適当な材料を採用することが可能である。また、実施形態では、３個の埋設孔９に取り付けた重り４を適宜、交換することによって、タッチ重さを調整しているが、タッチ重さの調整方法は、これに限らず、例えば、調整用の埋設孔を別個に設け、この調整用埋設孔に取り付ける重りを適宜、選択することで調整を行うようにしてもよい。
【００２３】
また、実施形態は、グランドピアノの鍵盤の例であるが、本発明は、アップライトピアノ、電子ピアノや鍵盤楽器玩具の鍵盤など、重りが取り付けられるすべての鍵盤に適用することが可能である。その他、本発明の趣旨の範囲内で、細部の構成を適宜、変更することが可能である。
【００２４】
【発明の効果】
以上のように、本発明の鍵盤は、重りの材料として鉛に代わる代替材料を用いながら、重りの取付が簡単で、しかもタッチ重さを容易に調整することができるなどの効果を有する。
【図面の簡単な説明】
【図１】本発明を適用したグランドピアノの鍵盤を示す斜視図である。
【図２】変形例による鍵盤の重りを示す斜視図である。
【図３】従来の鍵盤の前部を示す部分側面図である。
【符号の説明】
１  鍵盤
２  鍵盤本体
４  重り
９  埋設孔
２１  重り
【図１】
0004528393.tif 000002
【図２】
0004528393.tif 000003
【図３】
0004528393.tif 000004